(57)【要約】【課題】  つけ爪を貼り付けるために使用される部材につぼ刺激剤を含有させることで、自然にツボを刺激し、血流を促進することのできるつけ爪用粘着部材を提供する。【解決手段】  爪の表面につけ爪を貼り付けるための粘着部材において、該粘着部材は、つぼ刺激手段を具備する。第１に、前記つぼ刺激手段は、つぼ刺激剤である。また、前記粘着部材は両面テープであり、前記つぼ刺激剤は少なくとも一方又は両方の粘着部分に含有される。前記つぼ刺激剤は、粉末にされた鉱物であり、前記鉱物は、トルマリン、ミネラルを含む物であっても、所定量の放射性物質を含有するものであっても、遠赤外線を放射する成分を含有する物であっても良い。また、前記ツボ刺激剤として、唐辛子等の天然温感成分、同様の効果を奏する化学合成温感成分であっても良い。また、前記つぼ刺激手段は、爪側に突出する突条、且つ／又は突起であることが望ましい。さらに、前記粘着部材は、爪形に形成されることが望ましい。【選択図】    なし【特許請求の範囲】
【請求項１】
爪の表面につけ爪を貼り付けるための粘着部材において、
該粘着部材は、つぼ刺激手段を具備することを特徴とするつけ爪用粘着部材。
【請求項２】
前記つぼ刺激手段は、つぼ刺激剤であることを特徴とする請求項１記載のつけ爪用粘着部材。
【請求項３】
前記粘着部材は両面テープであり、前記つぼ刺激剤は少なくとも一方の粘着部分に含有されることを特徴とする請求項２のつけ爪用粘着部材。
【請求項４】
前記つぼ刺激剤は両方の粘着部分に含有されることを特徴とする請求項３記載のつけ爪用粘着部材。
【請求項５】
前記つぼ刺激剤は、粉末にされた鉱物であることを特徴とする請求項２，３又は４に記載のつけ爪用粘着部材。
【請求項６】
前記鉱物は、トルマリンであることを特徴とする請求項５記載のつけ爪用粘着部材。
【請求項７】
前記鉱物はミネラルを含有することを特徴とする請求項５記載のつけ爪用粘着部材。
【請求項８】
前記鉱物は、所定量の放射性物質を含有することを特徴とする請求項５記載のつけ爪用粘着部材。
【請求項９】
前記鉱物は、遠赤外線を放射する成分を含有することを特徴とする請求項５記載のつけ爪用粘着部材。
【請求項１０】
前記つぼ刺激剤は、温感効果を奏する天然温感成分を含有することを特徴とする請求項２，３又は４記載のつけ爪用粘着部材。
【請求項１１】
前記つぼ刺激剤は、温感効果を奏する化学合成温感成分を含有することを特徴とする請求項２，３又は４記載のつけ爪用粘着部材。
【請求項１２】
前記粘着部材は、基材シートと、該基材シートの両面に備えられた粘着部材とによって構成される両面テープであり、前記つぼ刺激手段は、前記基材シートに設けられた少なくとも一つの突条であることを特徴とする請求項１記載のつけ爪用粘着部材。
【請求項１３】
前記粘着部材は、基材シートと、該基材シートの両面に備えられた粘着部材とによって構成される両面テープであり、前記つぼ刺激手段は、前記基材シートに設けられた少なくとも一つの突起であることを特徴とする請求項１記載のつけ爪用粘着部材。
【請求項１４】
前記粘着部材は、爪形に形成されることを特徴とする前段請求項のいずれか一つに記載のつけ爪用粘着部材。
【発明の詳細な説明】
【技術分野】
【０００１】
本発明は、爪につけ爪を貼り付けるためのつけ爪用粘着部材に関する。
【背景技術】
【０００２】
特許文献１に開示されるように、各種装飾が施された従来のつけ爪は、爪の表面に両面テープや接着剤等により接着、固定して使用されるものである。
【０００３】
【特許文献１】特開２００３−９９４０号公報
【発明の開示】
【発明が解決しようとする課題】
【０００４】
また、手の爪の生え際には、「井穴（せいけつ）」というツボがあり、これを刺激することによって血流が促進され、冷え性やダイエットに効果があるといわれている。
【０００５】
このため、つけ爪を貼り付けるために使用される部材につぼ刺激剤を含有させることで、自然にツボを刺激し、血流を促進することのできるつけ爪用粘着部材を提供することにある。
【課題を解決するための手段】
【０００６】
したがって、この発明は、爪の表面につけ爪を貼り付けるための粘着部材において、該粘着部材は、つぼ刺激手段を具備することにある。
【０００７】
第１に前記つぼ刺激手段は、つぼ刺激剤である。また、前記粘着部材は両面テープであり、前記つぼ刺激剤は少なくとも一方の粘着部分に含有されることが望ましい。また、前記つぼ刺激剤は両方の粘着部分に含有される物であっても良い。
【０００８】
さらに、前記つぼ刺激剤は、粉末にされた鉱物であり、前記鉱物は、トルマリン、ミネラルを含む物であっても、所定量の放射性物質を含有するものであっても、遠赤外線を放射する成分を含有する物であっても良い。
【０００９】
さらにまた、前記ツボ刺激剤として、唐辛子等の温感成分、同様の効果を奏する化学成分を含む物であっても良い。
【００１０】
前記粘着部材は、基材シートと、該基材シートの両面に備えられた粘着部材とによって構成される両面テープであり、前記つぼ刺激手段は、前記基材シートに設けられた少なくとも一つの突条であることが望ましい。
【００１１】
さらに、前記粘着部材は、基材シートと、該基材シートの両面に備えられた粘着部材とによって構成される両面テープであり、前記つぼ刺激手段は、前記基材シートに設けられた少なくとも一つの突起であることが望ましい。
【００１２】
さらにまた、前記粘着部材は、爪形に形成されることが望ましい。さらに、個々の爪形に合わせて切断可能であることが望ましい。
【発明の効果】
【００１３】
この発明によれば、つけ爪を爪に貼り付ける時に使用する粘着部材に、ツボ刺激手段を具備したことによって、つけ爪をつけている間、常に手の爪の生え際にある「井穴」というツボを刺激することができるため、血流を促進させることができる。このため、冷え性を解消することができるとともに、エネルギー消費を促進できるため、ダイエット効果を期待できるものである。
【００１４】
また、前記つぼ刺激手段が、つぼ刺激剤である場合には、前記つぼ刺激剤を両方の側に含有させることで、つけ爪用粘着部材の装着性を向上させることができ、一方の側に含有させた場合にはつぼ刺激の選択性を備えることができるという効果を奏する。
【００１５】
さらに、前記つぼ刺激手段は、爪側に突出する突条であり、且つ／又は突起である場合には、薬効と異なり、効果が減少することがないので、半永続的につぼ刺激を行うことができるという効果を奏する。
【発明を実施するための最良の形態】
【００１６】
以下、この発明の実施例について図面により説明する。
【実施例１】
【００１７】
図１及び図２で示すように、本願発明の第１の実施例に係るつけ爪用粘着部材１は、爪形に形成される。また、親指、人差し指、中指、薬指、小指に対応して５種類の大きさが提供されるものであっても良いが、それぞれの指の大きさ、さらには個人差を吸収できるようにカット可能に形成できるもので、基本的には両面テープ形状であることが望ましい。
【００１８】
このつけ爪用粘着部材１は、図２（ａ）に示すように、粘着部３の両面に保護シート部５，６が貼付された構造のものであっても良く、また、図２（ｂ）で示すように、基材シート部２と、この基材シート部２の両面に設けられる粘着剤からなる粘着部３，４と、この粘着部３，４の外方を保護する保護シート部５，６とによって構成されるものであっても良い。
【００１９】
本願発明に係るつけ爪用粘着部材１は、ツボ刺激剤として、前記粘着部３，４の一方又は両方に、粉末にした鉱物を所定量含有する。前記鉱物としては、トルマリン、ミネラルを含む鉱物、遠赤外線を放射するセラミック、放射性元素を微量に含む鉱物のいずれか一つ又はそれらの内、複数を混合させた物であっても良い。
【００２０】
また、前記ツボ刺激剤として、唐辛子等の天然温感部材、また同様の効果を奏する化学合成温感部材を用いても良いものである。
【００２１】
これにより、前記つけ爪用粘着部材１を、個々の爪の形状に合わせてカットし、前記保護シート５，６の一方を剥離して爪に貼り、形状を整えて他方の保護シート５，６を剥離してこの上に所望のつけ爪を貼り付ける。これによって、粘着部３，４の両方又は一方に含有されるつぼ刺激剤によって、爪の生え際にある「井穴（せいけつ）」が刺激されるため、血流を促進させることができるものである。
【００２２】
尚、粘着部３，４の両方にツボ刺激剤を含有させた場合には、つけ爪用粘着部材１の裏表がなくなるため、装着性が向上するという利点があり、粘着部３，４の一方のつぼ刺激剤を含有させた場合には、つぼ刺激効果を要求する場合にはツボ刺激剤を含有させた側を爪側に配し、つぼ刺激効果を特に希望しない場合にはつぼ刺激剤が含有されない側を爪側に配することができるという選択性を具備させることができるものである。
【実施例２】
【００２３】
また、第２の実施例に係る爪詰め用粘着部材１は、図３（ａ），（ｂ）で示すように、つぼ刺激手段として、基材シート部２の爪側となる面に突出する突条７を所定の位置に設けたものである。この突条７は、爪の所定の位置を刺激するために設けられるもので、その位置及び長さについては、それぞれの症状等の基づいて決定されるものである。
【実施例３】
【００２４】
さらに、第３の実施例に係る爪詰め用粘着部材１は、図４（ａ），（ｂ）で示すように、つぼ刺激手段として、基材シート部２の爪側となる面に突出する突起８を所定の位置に設けたものである。この突起７は、爪の所定の位置を刺激するために設けられるもので、その位置及び大きさは、それぞれの症状等の基づいて決定されるものである。
【図面の簡単な説明】
【００２５】
【図１】本願発明の実施例に係るつけ爪用粘着部材の平面図である。
【図２】（ａ）は本願発明の第１の実施例に係る両面テープの一例を示した一部拡大断面図であり、（ｂ）は別の構成を有する両面テープの一部拡大断面図である。
【図３】（ａ）は本願発明の第２の実施例に係る両面テープの一例を示した一部拡大断面図であり、（ｂ）はその平面図である。
【図４】（ａ）は本願発明の第３の実施例に係る両面テープの一例を示した一部拡大断面図であり、（ｂ）はその平面図である。
【符号の説明】
【００２６】
１  つけ爪用粘着部材
２  本体シート部
３，４  粘着部
５，６  保護シート部
７  突条
８  突起
【図１】
2005066064.tif 000002
【図２】
2005066064.tif 000003
【図３】
2005066064.tif 000004
【図４】
2005066064.tif 000005